(57)【要約】【課題】本発明の目的は、捕集ネットコンベア上の気流を制御し、特に幅方向外側両端部の気流の乱れを抑制することで、ウェブ捲れのない、目付斑の均一なウェブを得ることのできる不織布の製造装置および製造方法を提供することにある。【解決手段】フィラメント群を気流と共に吹き出するエジェクタと、吹き出された前記フィラメント群を捕集する捕集ネットコンベアと、該捕集ネットコンベアと前記エジェクタとの間の気流を、前記捕集ネットコンベアを介して下方に吸引する吸引ボックスと、前記捕集ネットコンベアの上方に対向し、前記捕集ネットコンべアに向かい気流を供給する給気ボックスとからなる不織布の製造装置において、前記捕集ネットコンベアの幅方向外側の両端に気流を吸引する吸引手段を有する。【選択図】図１
2013204208.tif 000002
【特許請求の範囲】
【請求項１】
フィラメント群を、気流と共に吹き出すエジェクタと、吹き出された前記フィラメント群を捕集する捕集ネットコンベアと、前記捕集ネットコンベアと前記エジェクタとの間の気流を、前記捕集ネットコンベアを介して下方に吸引する吸引ボックスと、前記捕集ネットコンベアの上方に対向し、前記捕集ネットコンベアに向かい気流を供給する給気ボックスとからなる不織布の製造装置において、前記捕集ネットコンベアの幅方向外側の両端に気流を吸引する吸引手段を有することを特徴とする不織布の製造装置。
【請求項２】
前記吸引手段を、前記フィラメント群が前記捕集ネットコンベア上に着地する位置より前記捕集ネットコンベアの進行方向に１００ｍｍ以上離れた位置から下流に、設置することを特徴とする請求項１に記載の不織布の製造装置。
【請求項３】
前記エジェクタから下方に前記フィラメント群を、気流と共に吹き出し、吹き出された前記フィラメント群を前記捕集ネットコンベア上に捕集し、前記捕集ネットコンベアと前記エジェクタとの間の気流を前記捕集ネットコンベアを介して、前記吸引ボックスで下方に吸引し、前記捕集ネットコンベアの上方に対向し、給気ボックスから前記捕集ネットコンベアに向かい気流を供給する不織布の製造方法において、前記捕集ネットコンベアの幅方向外側の両端位置にて、前記捕集ネットコンベアの幅方向外側に向かう気流を形成することを特徴とする不織布の製造方法。
【請求項４】
前記フィラメント群が、前記フィラメント群が前記捕集ネットコンベア上に着地する位置より前記捕集ネットコンベアの進行方向に１００ｍｍ以上離れた位置から下流に、前記捕集ネットコンベアの幅方向外側に向かう気流を形成することを特徴とする請求項３に記載の不織布の製造方法。
【発明の詳細な説明】
【技術分野】
【０００１】
本発明は、不織布の製造装置および製造方法に関する。
【背景技術】
【０００２】
スパンボンド不織布の製造装置としては、フィラメント群と共に気流を吹き出すエジェクタと、吹き出されたフィラメントを捕集しウェブを得る捕集ネットコンベアと、捕集ネットコンベアとエジェクタの間の気流を、捕集ネットコンベアを介して下方に吸引する吸引ボックスで構成するのが一般的である。近年、多用な用途への展開が期待される中で、目付斑等の品質要求が厳しくなっており、その要因として捕集ネットコンベア上でのウェブ捲れが大きな問題となっている。このウェブ捲れの一つの要因としては捕集ネットコンベア上の気流の乱れがあり、これを高精度に制御することが強く求められてきている。
【０００３】
また、生産性の向上のため、広幅化にて製造した際、気流の乱れが生じやすくなり、上記の問題がより顕著となる。この様に、高品位、高品質の不織布を、高い生産性の下、特に広幅にて製造するにおいて、捕集ネットコンベア上の気流の乱れを抑制し、ウェブ捲れのない、目付斑の均一なウェブを得ることは、極めて重要な要素であり、従来から様々な提案が行われている。
【０００４】
特許文献１には、捕集ネットコンベアの幅方向外側両端部、あるいは前後からの流入による気流の乱れを解消するため、捕集ネットコンベアを介して気流を吸引する吸引ボックスを設置すると共に、捕集ネットコンベアに対向して不織布の幅方向全域にわたって気流を供給する給気ボックスを設置し、気流の乱れの要因となる外部からの気流の流入を防止する方法が開示されている。
【０００５】
しかしながら、本発明者らの知見によると、特許文献１に開示された方法では、エジェクタによる供給量と給気ボックスによる供給量の総和が、吸引ボックスによる吸引量より少ない場合、捕集ネットコンベアの幅方向外側端部においては、エジェクタと給気ボックスから供給される供給量だけでは足りない吸引量は、外部からの気流の流入によって補われる。そのため、幅方向外側から吸引ボックスに向かう気流と、エジェクタと給気ボックスから供給された気流とが衝突する。このとき、幅方向外側両端部で気流の乱れが発生し、ウェブ捲れを誘発する場合がある。
【０００６】
また、エジェクタによる供給量と、給気ボックスによる供給量の総和が、吸引ボックスによる吸引量より多い場合、捕集ネットコンベア中央部での捕集ネットコンベア進行方向の気流の速度が捕集ネットコンベア進行速度より大きくなりすぎるためにウェブがばたつき、ウェブ捲れを誘発する場合がある。
【０００７】
特許文献２には、捕集ネットコンベアと吸引ボックスの間であって捕集ネットコンベアの幅方向外側の一部に遮蔽板を挿入し、捕集ネットコンベア上に吸着されていない幅方向外側端部のウェブを、幅方向内側に向かってエアノズルから吹き出される気流が、幅方向内側に押し込むことで、目付斑を均一にできると記載されている。
【０００８】
しかしながら、本発明者らの知見によると、特許文献２に開示された方法では、幅方向内側に向かって吹き出される気流により、幅方向外側両端部に気流の乱れが発生し、ウェブ捲れを誘発する場合がある。
【０００９】
また、遮蔽板のみで、エアノズルからの吹き出し気流がない場合には、幅方向外側端部のウェブが捕集ネットコンベア上に吸着されていないため、わずかな気流の乱れでもウェブがばたつき、ウェブ捲れを誘発する。
【先行技術文献】
【特許文献】
【００１０】
【特許文献１】特許第２８３１４９９号公報
【特許文献２】特開平０７−１４５５４６号公報
【発明の概要】
【発明が解決しようとする課題】
【００１１】
本発明の目的は、捕集ネットコンベア上の気流を制御し、特に幅方向外側両端部の気流の乱れを抑制することで、ウェブ捲れのない、目付斑の均一なウェブを得ることのできる不織布の製造装置および製造方法を提供することにある。
【課題を解決するための手段】
【００１２】
上記目的を達成するために、フィラメント群を、気流と共に吹き出するエジェクタと、吹き出された前記フィラメント群を捕集する捕集ネットコンベアと、前記捕集ネットコンベアと前記エジェクタとの間の気流を、前記捕集ネットコンベアを介して下方に吸引する吸引ボックスと、前記捕集ネットコンベアの上方に対向し、前記捕集ネットコンベアに向かい気流を供給する給気ボックスとからなる不織布の製造装置において、前記捕集ネットコンベアの幅方向外側の両端に気流を吸引する吸引手段を有することを特徴とする不織布の製造装置が提供される。
【００１３】
また、本発明の好ましい形態によれば、前記吸引手段を、前記フィラメント群が前記捕集ネットコンベア上に着地する位置より前記捕集ネットコンベアの進行方向に１００ｍｍ以上離れた位置から下流に、設置する不織布の製造装置が提供される。
【００１４】
また、本発明の別の形態によれば、エジェクタからフィラメント群を、気流と共に吹き出し、吹き出された前記フィラメント群を捕集ネットコンベア上に捕集し、前記捕集ネットコンベアと前記エジェクタとの間の気流を、前記捕集ネットコンベアを介して吸引ボックスで下方に吸引し、前記捕集ネットコンベアの上方に対向し、給気ボックスから前記捕集ネットコンベアに向かい気流を供給するにおいて、前記捕集ネットコンベアの幅方向外側の両端から気流を吸引することを特徴とする不織布の製造方法が提供される。
【００１５】
また、本発明の好ましい形態によれば、前記フィラメント群が前記捕集ネットコンベア上に着地する位置より前記捕集ネットコンベアの進行方向に１００ｍｍ以上離れた位置から下流に、前記捕集ネットコンベアの幅方向外側に向かう気流を形成することを特徴とする不織布の製造方法が提供される。
【００１６】
本発明において、捕集ネットコンベアの上方に対向して気流を供給する給気ボックスとは、吸引ボックス上に位置する捕集ネットコンベア面と上方に対向して水平な給気面を有する給気ボックスをいう。
【００１７】
本発明において、捕集ネットコンベアを介して下方に吸引する吸引ボックスとは、エジェクタと給気ボックスの位置する捕集ネットコンベアから、吸引ボックスへ向かって、気流を下方に吸引する吸引ボックスをいう。
【００１８】
本発明において、衝突位置およびフィラメント群が捕集ネットコンベア上に着地する位置とは、捕集ネットコンベア幅方向および進行方向に広がって着地するフィラメント群の、進行方向のフィラメント群の着地全幅における、中心位置をいう。
【００１９】
本発明において、フィラメント群が捕集ネットコンベア上に着地する位置近傍とは、フィラメント群が捕集ネットコンベア上に着地する位置より下流側において、エジェクタおよび給気ボックスから吹き出され、捕集ネットコンベアに衝突した気流が、捕集ネットコンベアの幅方向外側まで到達している範囲をいう。
【発明の効果】
【００２０】
本発明の不織布の製造装置および製造方法によれば、捕集ネットコンベア上の気流を制御し、特に、幅方向外側両端部の気流の乱れを抑制することで、ウェブ捲れのない、目付斑の均一なウェブの製造が可能となる。
【図面の簡単な説明】
【００２１】
【図１】本発明の実施形態に用いられる不織布の製造装置の概略側面図である。
【図２】図１の不織布の製造装置の概略上面図である。
【図３】図１の不織布の製造装置の概略正面図である。
【図４】本発明の別の実施形態の不織布の製造装置の概略側面図である。
【図５】図４の不織布の製造装置の概略上面図である。
【図６】本発明を実施しなかった場合のコンベア進行方向に垂直な断面の気流の形態を示した模式図である。
【図７】本発明の実施形態のコンベア進行方向に垂直な断面の気流の形態を示した模式図である。
【図８】本発明の実施形態のコンベア進行方向に垂直な断面の気流の形態を示した模式図である。
【図９】本発明を実施しなかった場合のコンベア進行方向に垂直な断面の気流の形態を示した模式図である。
【図１０】本発明を実施しなかった場合のコンベア進行方向に垂直な断面の気流の形態を示した模式図である。
【図１１】本発明の別の実施形態のコンベア進行方向に垂直な断面の気流の形態を示した模式図である。
【発明を実施するための形態】
【００２２】
以下、図面を参照しながら、本発明の不織布の製造装置および製造方法の実施形態について詳細に説明する。図１は、本発明による不織布の製造装置の概略側面図であり、図２は、図１の概略上面図であり、図３は、図１の概略正面図である。図４は、本発明の別の実施形態の不織布の製造装置の概略側面図であり、図５は、図４の概略上面図である。なお、これらは、本発明の要点を正確に伝えるための概念図であり、図を簡略化しており、本発明の製造装置は特に制限されるものでなく、寸法比などは実施の形態に合わせて変更可能なものとする。
【００２３】
本発明の実施形態に用いられる不織布の製造装置は、図１、図２、図３に示すように、エジェクタ１、吸引手段３、吸引面４、ローラー６、吸引ダクト１０、吸引ボックス１１、捕集ネットコンベア１２、給気ダクト１３、給気ボックス１４、給気面１６、エンボスロール１７から構成される。なお、吸引ダクト１０、給気ダクト１３は、明細書内では、簡易化のため省略しているが、ブロア、ファン等の気流を吸引、または給気する送風装置が接続されているものである。
【００２４】
本発明の実施形態に用いられる不織布の製造装置において、捕集ネットコンベア１２は、フィラメントは通過せず、気流は通過する粗さの網目状ネットにより構成され、ローラー６の回転によって走行する。捕集ネットコンベア１２の上面には、エジェクタ１より、フィラメント群２が気流とともに吹き出され、ウェブ８を形成する。その際、吸引ファン（明細書では省略）により、捕集ネットコンベア１２とエジェクタ１の間の気流を、捕集ネットコンベア１２を介して、吸引ボックス１１、吸引ダクト１０を通じて、外部に排出すると共に、吸引ボックス１１に連通した吸引手段３からも気流が排出される。また同時に、給気ファン（明細書では省略）により、給気ダクト１３、エジェクタ１より下流の捕集ネットコンベア１２上面側に設けられた給気ボックス１４を通じて、給気面１６から捕集ネットコンベア１２に向かって、気流が供給される。この時、給気ボックス１４より供給される気流と、エジェクタ１よりフィラメント群２と共に吹き出される気流が合わさり、それらがネットコンベア１２を介して吸引ボックス１１に排出され、そして、吸引面４を介して吸引手段３からも排出される。走行する捕集ネットコンベア１２上のウェブ８は、吸引ボックス１１より吸引される気流により、捕集ネットコンベア１２上に吸着し、搬送され、エンボスロール１７によって部分的に熱圧着することで、不織布が形成される。
【００２５】
まず、本発明の最も重要なポイントである、捕集ネットコンベア１２上の気流を制御でき、特に幅方向外側両端部における気流の乱れを抑制できる原理について説明する。
【００２６】
はじめに、従来技術と本発明の違いを明確にするため、一般的な不織布の製造装置における気流の形成メカニズムについて、図６を用いて説明する。図６は、フィラメント群２が捕集ネットコンベア１２上に着地する位置近傍（以降、衝突位置近傍と呼称）よりも下流側の吸引ボックス１１上におけるコンベア進行方向に垂直な断面での気流の形態を示した模式図である。エジェクタ１より吹き出された気流は、捕集ネットコンベア１２に衝突し、衝突位置を境に、捕集ネットコンベア１２の進行方向と反進行方向に分岐して流れる。また、給気ボックス１４からも捕集ネットコンベア１２に向かい気流が吹き出される。これらの気流は吸引ボックス１１により吸引されるため、衝突位置から離れるほど速度が低下し、幅方向外側両端部まで届きにくくなる。そのため、衝突位置近傍よりも下流側の吸引ボックス１１上における幅方向外側両端部の捕集ネットコンベア１２上では、エジェクタ１と、給気ボックス１４による供給量では足りない気流が、外部からの流入によって補われ、幅方向外側から吸引ボックス１１に向かう気流と、エジェクタ１および給気ボックス１４から供給された気流（以降、供給気流と呼称）とが衝突し、気流の乱れが発生する。
【００２７】
ここで、例えば、吸引ボックス１１による吸引量を減少させると、外部からの気流の流入は抑制できるが、捕集ネットコンベア１２上にウェブ８を吸着できなくなり、ウェブ８がばたつき、ウェブ捲れが発生する。また、エジェクタ１や、給気ボックス１４からの供給量を増やすと、供給気流が幅方向外側両端部まで届くが、捕集ネットコンベア１２の中央部での気流の速度が捕集ネットコンベア１２の進行速度より大きくなりすぎるためにウェブ８がばたつき、ウェブ捲れが発生する。
【００２８】
このように、気流の乱れを抑制するには、幅方向外側から吸引ボックス１１に向かう気流と、供給気流とが衝突しないようにしなければならないが、従来技術では、それを避けるために、吸引量と供給量を調整しても、ウェブ８に捲れが生じるために限界があった。
【００２９】
従って、捕集ネットコンベア１２上の気流を制御し、特に幅方向外側両端部の気流の乱れを抑制するのは極めて重要な技術となる。そこで、本発明者らは、従来の技術では、何の配慮もされていなかった、上記問題に関して、鋭意検討を重ねた結果、本発明の新たな技術を見出すに至った。
【００３０】
本発明の不織布の製造装置を用いた場合の気流の形成メカニズムについて、図７、図８を用いて説明する。図７は衝突位置近傍よりも下流側の吸引ボックス１１上、図８は衝突位置近傍における、コンベア進行方向に垂直な断面での気流の形態を示した模式図である。
【００３１】
まず、本発明の効果が最も顕著に現れる、衝突位置近傍よりも下流側の吸引ボックス１１上において、捕集ネットコンベア１２上の幅方向外側両端部では、図７に示すように、吸引ボックス１１と吸引面４の吸引量に対して、エジェクタ１と給気ボックス１４からの供給量だけでは足りない気流は、給気ボックス１４と吸引手段３の間から、捕集ネットコンベア１２の幅方向中心に向かって流入する。この領域では、吸引ボックス１１と吸引面４から遠く吸引が小さいため、流速は小さい。その後、この気流が、幅方向外側両端部の上方に到達すると、エジェクタ１および給気ボックス１４から吹き出された流速の大きい気流に牽引され、下方に向かう。気流が吸引面４の高さに到達すると、吸引面４の吸引力を大きく受けて幅方向外側に吸引され、かつ、吸引ボックス１１によっても下方に吸引されるため、外側斜め下方向に向かい、捕集ネットコンベア１２上に到達する。そして、一部は吸引ボックス１１に吸引されて下方へ向かい、残りは吸引面４から吸引手段３によって吸引されて、幅方向外側へ向かう。このように外部からの持ち込まれた気流と供給気流が捕集ネットコンベア１２上で直接衝突することなく合流するため、気流の乱れを発生することがない。
【００３２】
また、衝突位置近傍では、図８に示すように、エジェクタ１および給気ボックス１４により供給された気流は、捕集ネットコンベアに衝突し、衝突位置を境に分岐した供給気流は、幅方向外側に到達し、吸引面４によって吸引される。つまり、吸引ボックス１２および吸引手段３による吸引量に対して、供給気流の流量が過大であるため、外部からの気流の流入はなく、よって、気流どうしの衝突も起こらず、気流の乱れが発生しない。
【００３３】
ここで、本発明とは異なり、吸引面４に吸引力が無い場合、すなわち吸引手段３の代わりに全面が壁で構成された遮蔽物５を設置する場合における気流の形成メカニズムについて、図９、図１０を用いて説明する。図９は、衝突位置近傍よりも下流側の吸引ボックス１１上、図１０は衝突位置近傍における、コンベア進行方向に垂直な断面での気流の形態を示した模式図である。
【００３４】
まず、衝突位置近傍よりも下流側の吸引ボックス１１上においては、図９に示すように、捕集ネットコンベア１２上の幅方向外側両端部では、吸引ボックス１１と吸引面４の吸引量に対して、エジェクタ１と給気ボックス１４からの供給量だけでは足りない気流は、給気ボックス１４と遮蔽物５の間より給気ボックス１４の高さにおいて、捕集ネットコンベア１２の幅方向中心に向かって流入する。流入した気流は吸引ボックス１１の吸引により、下方に吸い寄せられるが、遮蔽物５には、吸引力が無いため、中心に向かう流れが発生する。そのため、エジェクタ１および給気ボックス１４から供給された気流とが衝突し、気流の乱れが発生する。
【００３５】
また、衝突位置近傍においては、捕集ネットコンベア１２上を幅方向外側に向かう供給気流が、遮蔽物５に衝突し、上方、または、進行方向、半進行方向に拡散する。このうち、上方へ向かった気流が供給気流と衝突し、気流の乱れが発生する。
【００３６】
このように、吸引能力が無い遮蔽物５であれば、反対に気流の乱れを発生させてしまうため、吸引手段３が吸引力を有することが重要となる。本発明では、幅方向外側両端部にて、エジェクタ１と給気ボックス１４から供給された気流を絶えず幅方向外側へ方向付けることで、ウェブ捲れを抑制することが可能となる。
【００３７】
続いて、本発明のより好ましい形態について、図１１を用いて以下に説明する。図１１は、衝突位置近傍におけるコンベア進行方向に垂直な断面での気流の形態を示した模式図である。
【００３８】
本発明の好ましい形態によれば、吸引手段３を、衝突位置近傍より下流側に離れた位置から設置するのが良い。それは、好ましくは、フィラメント群２が捕集ネットコンベア１２上に着地する位置より捕集ネットコンベア１２の進行方向に１００ｍｍ以上離れた位置
から下流側に設置するのが良く、その模式図は、例えば図７のようになる。
【００３９】
エジェクタ１より吹き出されたフィラメント群２を、衝突位置近傍にて、そのまま捕集ネットコンベア上に吸着させ、ウェブ８を形成し、その後に、吸引手段３によって、幅方向外側に気流が吸引されるため、衝突位置近傍でのフィラメント群２の広がりを抑制することができ、より目付け斑の均一なウェブ８を形成できる。このとき、衝突位置近傍の幅方向外側両端部においては、図１１に示すように、捕集ネットコンベア１２上に到達した供給気流は、そのまま幅方向外側に進行するため、当然のことながら外部からの気流の流入はなく、よって、気流どうしの衝突も起こらず、気流の乱れが発生しない。
【００４０】
また、吸引手段３の高さ方向の設置範囲としては、エジェクタ１の吹出口の下面から捕集ネットコンベア１２の上面とするのが良い。この範囲とすることで、エジェクタ１および給気ボックス１４より吹き出された供給気流が、捕集ネットコンベア１２に到達するまでの全領域に渡り、外部からの気流の流入を抑制し、幅方向外側へ進行する流れを形成することができる。このとき、吸引手段３の吸引量は、進行方向および反進行方向から気流が流入しない範囲で設定するのが好ましい。
【００４１】
また、吸引手段の進行方向の設置範囲としては、衝突位置近傍を除く、吸引ボックス１１の全幅に渡り設置することで、幅方向外側両端部において、外部からの気流の流入を完全に阻止し、外側に向かう気流を形成することが出来る。
【００４２】
また、エジェクタ１は、１機でも良いが、捕集ネットコンベア１２の進行方向または、幅方向に複数機配置しても良い。
【００４３】
また、吸引ボックス１１は、分割数は幅方向、進行方向共に２以上に分割してよく、また、給気ボックス１４または吸引手段３も複数に分割しても良い。
【００４４】
各々に分割し、気流の供給、吸引量を個別に調整可能な構成とすることにより、供給量と吸引量の細かな制御が容易となり、目付量、コンベア速度等の幅広い生産条件に渡り、目付斑の均一なウェブを製造可能となる。
【００４５】
また、吸引ボックス１１および吸引手段３を別の独立した、ファンやブロアーなどの送風、吸引装置に接続しても良い。
【００４６】
また、吸引面４の形状は、矩形に限らず円形や三角形などでもよく、吸引手段３は特定の構造体を持たない仮想的なものでも良い。ここで重要なのは、吸引面４に垂直な速度成分を持った気流を形成することである。
【実施例】
【００４７】
以下実施例を挙げて、本実施形態の不織布製造装置の効果を具体的に説明する。
（１）気流測定
風速測定は、日本カノマックス株式会社製の“アネモマスター風速計６６３１―P”を使用し、進行方向風速、幅方向風速、鉛直方向風速について、３０秒間に１８０回測定した値の平均値を用いた。風向測定は、有限会社宮島化学工業製の玉巻テープ“ＭＳ０３０Ｒ”を長さ１００ｍｍ、幅２ｍｍに裁断したものを２０本束ねて作成したものを使用して、風向を観察した。測定位置は、吸引ボックス１１の各分割領域の吸引面の中心位置において、捕集ネットコンベア１２から高さ３０ｍｍ位置にて測定した。
【００４８】
また、本発明者らの知見によると、フィラメント群２を吹き出す場合と、吹き出さない場合で、気流の形態に大きな差がないことが明らかなため、各実施例ではフィラメント群２を吹き出さず測定を行ったものである。
（２）ウェブ捲れの評価
ウェブ捲れが、供給気流と外部からの流入気流の衝突に起因することから、次のように評価した。
【００４９】
測定位置において、捕集ネットコンベア１２幅方向外側両端部上に、幅方向内向きの流れが観測されなかったものを○、幅方向内向きの流れが観測されたものを×とランク分けし、評価した。
［実施例１］
請求項１および請求項３に相当する実施例の装置構成を図１、図２、図３に示す。吸引ボックス１１は、図２に示すように進行方向長さ１４００ｍｍ、幅方向長さ２４００ｍｍとし、幅方向に５分割、進行方向に１０分割とし、分割された各吸引ボックスの吸引圧力は、各列で等しく、幅方向中央列から順に−１４０、−１３０、−１２０Ｐａ、幅方向に対称な値とした。捕集ネットコンベア１２は、捕集ネットコンベア１２は、吸引ボックス１１の直上を１ｍ／ｓで走行させた。エジェクタ１は、スリットの進行方向全幅の中心位置が図１に示すように反進行方向側から５番目の吸引ボックス１１分割領域の進行方向全幅の中心位置と等しく、スリット幅５ｍｍ、幅方向長さ２３００ｍｍとし、吹出口の高さを、捕集ネットコンベア１２から４５０ｍｍ、供給流量を７０ｍ３／ｍiｎとした。給気ボックス１４は、図１に示すように給気面１６の高さ、および、幅方向長さがエジェクタ１と等しく、進行方向長さは４００ｍｍとし、設置位置は、エジェクタ１のスリットの進行方向全幅の中心位置から８０ｍｍ下流より設置し、給気ボックス１４の供給流量は３６０ｍ３／ｍiｎとした。吸引手段３は、図２に示すように吸引ボックス１１の幅方向外側の両端に設置し、進行方向長さを２８００ｍｍ、吸引ボックス１１の反進行方向側４２０ｍｍから設置し、高さ方向には捕集ネットコンベア１２面から２２０ｍｍ、吸引量を４２０ｍ３／ｍiｎとした。
【００５０】
表１に記載のとおり、捕集ネットコンベア１２の幅方向外側両端部上において、ウェブ捲れは観察されなかった。
［実施例２］
請求項２および請求項４に相当する実施例の装置構成を図３、図４、図５に示す。
【００５１】
吸引手段３の進行方向長さを１７００ｍｍ、進行方向上流側から６番目の吸引ボックス１１の分割領域から吸引ボックス１１の下流１０００ｍｍ、吸引量を６９０ｍ３／ｍiｎとし、その他の条件は、実施例１と等しくした。
【００５２】
表１に記載のとおり、捕集ネットコンベア１２の幅方向外側両端部上において、ウェブ捲れは観察されなかった。
［比較例１］
吸引手段３を設置しない従来技術の場合である。吸引手段３を設置しないこと以外の条件は、実施例１と等しくした。
【００５３】
表１に記載のとおり、捕集ネットコンベア１２の幅方向外側両端において、ウェブ捲れが観察された。内向きの流れが観察されたのは、反進行方向側から１，２番目の、供給気流が届きにくい吸引ボックス分割領域であった。
［比較例２］
吸引手段３の代わりに全面が壁で構成された遮蔽物５を設置する、本発明を実施しなかった場合で、遮蔽物５の大きさと設置については、実施例１の吸引手段３と等しくした。その他の条件は、実施例１と等しくした。
【００５４】
表１に記載のとおり、捕集ネットコンベア１２の幅方向外側両端において、ウェブ捲れが観察された。内向きの流れが観察されたのは、反進行方向側から１番目の、供給気流が届きにくい吸引ボックス分割領域と、反進行方向側から６番目の、供給気流が遮蔽物５に到達する吸引ボックス分割領域であった。
【００５５】
【表１】
2013204208.tif 000003
【産業上の利用可能性】
【００５６】
本発明は、長繊維不織布の製造、特にスパンボンド不織布の製造時のウェブ形成工程でウェブ捲れを抑制する製造装置に関するもので、工業資材用フィルター、オムツ、生理用品、医療用マスク、花粉ガードマスク、医療用が運・ドレープといった衛生材料、電線押え巻き、自動車用資材、液体濾過用フィルター、合紙、洗車ブラシといった産業資材、食品包装材、ふろしき、テープヤーン、靴資材、カイロ、ティーバッグ、クリーニングカバーといった生活資材、べたがけ、農資ポットといった農業資材、屋根下材、土木安定シート、断熱材手段材、床材、ハウスラップといった建材、土木資材などに応用できるが、その応用範囲がこれらに限られるものでない。
【符号の説明】
【００５７】
１  エジェクタ
２  フィラメント群
３  吸引手段
４  吸引面
５  遮蔽物
６  ローラー
８  ウェブ
１０  吸引ダクト
１１  吸引ボックス
１２  捕集ネットコンベア
１３  給気ダクト
１４  給気ボックス
１６  給気面
１７  エンボスロール
【図１】
2013204208.tif 000004
【図２】
2013204208.tif 000005
【図３】
2013204208.tif 000006
【図４】
2013204208.tif 000007
【図５】
2013204208.tif 000008
【図６】
2013204208.tif 000009
【図７】
2013204208.tif 000010
【図８】
2013204208.tif 000011
【図９】
2013204208.tif 000012
【図１０】
2013204208.tif 000013
【図１１】
2013204208.tif 000014